(57)【要約】 【課題】部品の交換を行なおうとしているときの部品の落下を未然に防止することができる携帯機器を提供する。【解決手段】加速度センサ１０００によりデジタルカメラ１の姿勢を検出する。燃料タンク１０１を外部に送り出すときに、蓋側を下に向けて持っているときには燃料タンク１０１を自動的に送り出してしまうと落下してしまう恐れがあるので、加速度センサ１０００の姿勢検出結果を受けて内部のＣＰＵはモータによる燃料タンクの送出動作を禁止する様にする。このようにすると、落下により燃料タンク１０１が破損して燃料タンク１０１内からメタノールが漏洩しメタノールが空中に飛散するようなことが未然に防止される。【選択図】図１
2007124221.tif 000002
【特許請求の範囲】
【請求項１】
外部から所定の部品が取出自在に装填される装填室を有する携帯機器において、
この携帯機器の姿勢を検出する姿勢検出センサと、
前記装填室に装填されている部品を取出しのために外部に送り出す送出機構と、
前記姿勢センサにより、前記装填室内の部品が下向きに送り出される姿勢が検出されている場合に、前記送出機構による該部品の送出動作を禁止する禁止制御部とを備えたことを特徴とする携帯機器。
【請求項２】
この携帯機器は、燃料電池で動作するデジタルカメラであり、前記部品は、燃料電池を動作させるための燃料を収容した燃料タンクであることを特徴とする請求項１記載の携帯機器。
【請求項３】
この携帯機器は、燃料電池で動作するカメラ付き携帯電話機であり、前記部品は、燃料電池を動作させるための燃料を収容した燃料タンクであることを特徴とする請求項１記載の携帯機器。
【請求項４】
前記装填室に装填された燃料タンクが空になったことを検出する残量センサをさらに備え、
前記送出機構は、前記装填室に装填されている燃料タンクの空が検出されたことを受けて該燃料タンクを該装填室から外部へ送り出すものであることを特徴とする請求項２又は３記載の携帯機器。
【発明の詳細な説明】
【技術分野】
【０００１】
本発明は、外部から所定の部品が取出自在に装填される装填室を有する携帯機器に関する。
【背景技術】
【０００２】
携帯機器は、通常、電池からの電力の供給を受けて動作する。このような電池は、取出自在に装填室に装填されるものが多く、中には、交換時に取り出し易い位置まで内部の送出機構により電池が送出されてくるものもある（例えば特許文献１参照）。
【０００３】
また携帯機器には記録メディアが取出自在に装填されるものもあり、このようなものにも送出機構が設けられているものもある。このように部品が装填される装填室が設けられているような携帯機器に送出機構が設けられていると部品の取り出しが行ない易い。
【０００４】
しかしながら、携帯機器は手に持って持ち歩くものであるため、手に持っているときに部品の交換が行なわれることもある。もしも手に持っているときに部品の交換を行なおうとして携帯機器の装填室の挿入口が下方に向いているときに送出機構が誤って作動してしまうと部品が落下してしまう恐れがある。このように手に持っている位置から電池などの部品が落下してしまうと大抵の部品は損傷を受けてしまう。
【０００５】
ところで、デジタルカメラなどにはデジタルカメラの姿勢を加速度センサにより検出して検出した姿勢に応じた画像処理を行なうことができるようにしているものもある。この加速度センサは、姿勢に限らず衝撃や振動などを検出することもできるため、携帯機器に衝撃検出用のセンサや振動検出用のセンサとしてもよく用いられるようになってきている。このような需要の伸びが価格を押し下げ、最近では手ごろな値段で加速度センサを入手することができる様になってきている。
【特許文献１】特開平０５−９３１６４号公報
【発明の開示】
【発明が解決しようとする課題】
【０００６】
本発明は、上記事情に鑑み、部品の交換を行なおうとしているときの部品の落下を未然に防止することができる携帯機器を提供することを目的とする。
【課題を解決するための手段】
【０００７】
上記目的を達成する本発明の携帯機器は、外部から所定の部品が取出自在に装填される装填室を有する携帯機器において、
この携帯機器の姿勢を検出する姿勢検出センサと、
上記装填室に装填されている部品を取出しのために外部に送り出す送出機構と、
上記姿勢センサに応じて、上記装填室内の部品が下向きに送り出される姿勢の場合は、上記送出機構によるその部品の送出動作を禁止する禁止制御部とを備えたことを特徴とする。
【０００８】
上記本発明の携帯機器によれば、前述の加速度センサを上記姿勢検出センサとして用いて部品交換時の携帯機器の姿勢を検出することによって、上記装填室内の部品が下向きに送り出される危険性のあるときには上記禁止制御部によって上記部品の送出動作が禁止される。
【０００９】
そうすると、部品を交換しようとしているときの携帯機器の姿勢が、上記装填室内の部品が横向きあるいは上向きに送り出されるような姿勢であったときには、上記禁止制御部により送出動作が禁止されることなく部品の送出がそのまま行なわれて部品の取りだしが簡単に行なわれるようになり、部品が下向きに送り出される姿勢であったときには、上記禁止制御部により送出動作が禁止されこれから起こるであろう落下という事態が未然に防止されるようになる。
【００１０】
以上説明したように、部品の交換を行なおうとしているときの部品の落下を未然に防止することができる携帯機器が実現する。
【００１１】
また、この携帯機器が上記燃料電池で動作するデジタルカメラであって上記部品は、上記燃料電池を動作させるための燃料タンクであることも、また、この携帯機器が上記燃料電池で動作するカメラ付き携帯電話機であって上記部品が燃料電池を動作させるための燃料タンクであることもある。
【００１２】
そこで、上記部品が燃料電池であった場合には、上記装填室に装填された燃料タンクが空になったことを検出する残量センサをさらに備え、
上記送出機構は、前記装填室に装填されている燃料タンクの空が検出されたことを受けて燃料タンクをその装填室から外部へ送出するものであることが好ましい。
【００１３】
上記送出機構が、上記装填室に装填されている燃料タンクの空が検出されたことを受けて上記燃料タンクをその装填室から外部へ送出するものであると、上記残量センサにより燃料タンクが空になったことが検出されたときに上記送出機構により燃料タンクが自動的に送出される。このような構成であると、必要時に燃料タンクの交換をユーザに促すことができるようになる。
【００１４】
さらに、使用済みの燃料タンクが無条件に送出されるだけでなく、上記禁止制御部によって、上記装填室内の部品が下向きに送り出される姿勢の場合には、上記送出機構による部品の送出動作が禁止されるものであるとなお良い。
【００１５】
上記残量センサによって燃料タンク内の燃料の空状態を検出するときには、燃料タンク内の燃料が完全に無くなっている状態を検出する様になっていない場合もある。もしも燃料タンク内に少しでも燃料が残っていたとすると、燃料タンクの落下により燃料タンクに損傷が与えられた場合にその燃料タンクの中に残っていた燃料が外に漏れてしまって、最悪の場合には外に漏れた燃料が空中に飛散してしまう恐れさえある。
【００１６】
そこで、上記のように上記装填室内の燃料タンクが下向きに送り出される姿勢の場合は上記燃料タンクが落下する恐れがあるので、上記送出機構による燃料タンクの送出動作が禁止され上記燃料タンク内の燃料の空中への漏洩や飛散が未然に防止される。
【発明の効果】
【００１７】
以上、説明したように、部品の交換を行なおうとしているときの部品の落下を未然に防止することができる携帯機器が実現する。
【発明を実施するための最良の形態】
【００１８】
以下、本発明の実施の形態について説明する。
【００１９】
ここでは本出願人が先に出願している特許文献１のデジタルカメラ１を一例として掲げて説明する。この特許文献１に記載のデジタルカメラ１には電力供給源である二次電池の充電を効率的に行なうために燃料電池が配備されている。
【００２０】
図１、図２は、上記特許文献１の明細書中に掲げられているデジタルカメラ１の外観を示す図であり、図３は、内部の回路構成を示すブロック図である。また、図４は、燃料電池１０およびその燃料電池１０に燃料を供給するために装填された燃料タンク１０１周辺の構造を説明する図である。
【００２１】
図１、図２に示すデジタルカメラ１には特許文献１に記載されている構成要素以外に、さらに加速度センサ１０００が備えられている。この加速度センサ１０００によりこのデジタルカメラ１の姿勢を検出して撮影時の姿勢に応じた画像処理をデジタル信号処理部（図３参照）で好適に行なうことができるように改良している。
【００２２】
そこで、本実施形態ではその加速度センサ１０００を活用して、燃料タンク１０１の交換を行なおうとしているときに燃料タンク１０１が下向き（図１，図２の上下がひっくり返った状態）に送り出される姿勢になっていることをその加速度センサ１０００により検出したときには図１に示すモータ１０Ｍによる燃料タンク１０１の送出動作を禁止して、これから起こるであろう落下という事態を未然に防止するようにしている。
【００２３】
この加速度センサ１０００以外の構成の詳細は特許文献１の明細書中に記載されているが、図１、図２を参照してこのデジタルカメラの構成を簡単に説明する。
【００２４】
図１に示すようにボディ正面右方にレンズ鏡胴１１が備えられており、そのレンズ鏡胴１１に内蔵されている撮影レンズ１１０で被写体を捉えることにより撮影が行なわれる。またボディ上面にはシャッタボタン１２が備えられていてそのシャッタボタン１２により撮影開始の合図が後述するＣＰＵへと伝えられる。また図２に示すように背面側には表示画面ＬＣＤほか、操作子ＯＰが多数配備されている。なお図１の側面には電源ジャックほか、外部機器からの接続ケーブルが接続されるコネクタ部等も備えられている。また、フラッシュ発光窓やファインダの対物アドなども図示されている。
【００２５】
また図１に示す様にシャッタボタン１２の横方には燃料電池１０を動作させるためのメタノールを収容した燃料タンク１０１が装填される装填室１００が設けられている。この装填室１００にはスライド自在の蓋１０２が設けられていて、その蓋１０２の開閉操作に応じて装填室１００に取出自在にその燃料タンク１０１を装填することも、取り出すこともできるようになっている。
【００２６】
さらに、この例においては装填室１００内に燃料タンク１０１が装填されるときには燃料タンク１０１が蓋１０２の部分から装填室１００側に向けて少し押し込まれるようにして挿入されたときに後述する送出機構（図１には送出機構の構成要素であるモータ１０Ｍが示されている）によって自動的に燃料タンク１０１が引き込まれて装填室１００に装填されるようになっている。
【００２７】
さらにこの実施形態においては、このデジタルカメラ１により撮影が行なわれ続けて二次電池への充電が行なわれた後、燃料タンク１０１内のメタノールの残量が少なくなったときには図２に示す表示画面ＬＣＤ上に表示により警告が表示されるようになっている。もしもその警告を見てユーザによって燃料タンク１０１の交換が行なわれようとして蓋１０２が開けられたときには、今度はこれから交換が行なわれることが内部のＣＰＵにより検知され燃料タンク１０１が、上記送出機構により取り出し易い位置まで自動的に送り出されるようになっている。
【００２８】
ここで、その燃料電池１０を備えるデジタルカメラ１の内部の回路構成および動作を、図３を参照して簡単に説明する。
【００２９】
このデジタルカメラ１は二次電池ＢＴからの電力の供給を受けて動作するものであって、この二次電池ＢＴの容量が低下してきたときに上記燃料電池１０を作動させて充電を行なうものである。なお図３中の燃料電池部に付されている符号Ｋはカソード（マイナス極つまり燃料極）を意味し、同じく符号Ａはアノード（プラス極つまり空気極）を意味する。
【００３０】
図３に示すように、このデジタルカメラ１の動作は統括的にＣＰＵ１０９により制御されている。ＣＰＵ１０９には、シャッタボタン１２や電源スイッチ１３や操作子群ＯＰからの信号が入力されていてそれらの信号のうちの少なくともいずれか一つの信号に応じた処理が適宜実行されるようになっている。
【００３１】
図１に示すデジタルカメラの電源スイッチ１３が投入されると、ＣＰＵ１０９はその電源スイッチ１３の投入を受けて駆動回路１０９Ａに、撮像素子１１３に向けてタイミング信号を供給させることによって撮影レンズ１１０で撮像素子１１３上に結像させている被写体像を表わす画像データの生成を開始させる。その後継続して所定の間隔でタイミング信号を撮像素子に供給させ続けることにより画像データを後段の処理回路へと所定のタイミングごとに出力させ続ける。このときにはＣＰＵ１０９が駆動回路１０９Ａに、被写界輝度に応じて被写界輝度に応じた光量になるようにシャッタ１１１や絞り１１２を常に駆動させ撮影中においては最適露出になるように調節した被写体像を撮像素子１１３上に結像させる様にしている。
【００３２】
こうして撮影レンズ１１０で捉えている被写体を最適露出で撮像素子１１３上に結像させておいて、ＣＰＵ１０９は、駆動回路１０９Ａに、撮像素子１１３に向けて所定のタイミング（例えば３３ｍｓごと）ごとにタイミング信号を供給させて後段のアナログ信号処理回路１１４へと撮像素子１１３で生成された画像信号を所定のタイミングごとに次々と出力させている。この所定のタイミングごとに生成されている画像信号を画像表示部１１８にまで供給して画像表示部１１８が備える表示画面ＬＣＤ上にその画像信号に基づく画像を次々と切り替えて表示することにより表示画面ＬＣＤ上にスルー画を表示する様にしている。
【００３３】
このスルー画を表示するのに適した画像信号にするにあたって撮像素子１１３以降の各回路では適宜信号処理が行なわれており、撮像素子１１３のすぐ後にあるアナログ信号処理回路１１４では、撮像素子１１３からの画像信号に乗っている雑音が低減され、次のＡ／Ｄ変換回路１１４では、アナログ信号の画像信号が後段の処理部で処理し易い様にデジタルの画像信号に変換されている。
【００３４】
また次のデジタル信号処理部１１５では、画像表示部での表示に適した画像信号であるＹＣ信号への変換が行なわれいて、このＹＣ信号に変換された画像信号がバッファメモリであるテンポラリメモリ１１７に所定のタイミングごとに書き換えられる様にして記憶される。このように上記テンポラリメモリ１１７内の画像信号が所定のタイミングごとに書き換えられる訳であるから、書き換えられる度に書き換えられた画像信号が画像表示部１１８に供給され、画像表示部１１８が備える表示画面ＬＣＤ上には撮影レンズ１１０で捉えている画像がスルー画として表示される様になる。
【００３５】
こうしてスルー画の表示が行なわれているときにシャッタボタン１２が操作されたら、ＣＰＵ１０９はその操作を受けてシャッタボタン１２が押されたときのタイミングで駆動回路１０９Ａに撮像素子１１３に向けて露光開始信号を供給させる。さらに所定のシャッタ秒時を経た後、今度は駆動回路１０９Ａに露光終了信号を撮像素子１１３に向けて供給させてその撮像素子１１３で生成された画像信号をアナログ信号処理回路１１４へと出力させる。
【００３６】
アナログ信号処理回路１１４では、ノイズの低減等の処理が行なわれ、ノイズの低減などの処理が行なわれた画像信号が次段のデジタル信号処理回路１１５へと供給される。このデジタル処理回路１１５では、ＹＣ信号への変換処理等の信号処理が行なわれ、さらに圧縮画像部１１９に信号処理された画像信号が供給される。また圧縮伸張部１１９では画像信号の圧縮が行なわれ内蔵メモリ（又はメモリカード）１２０に圧縮画像信号が記録される。
【００３７】
この例ではこのような動作をするデジタルカメラ１が備える電力供給用の二次電池ＢＴを充電するために燃料電池１０が配備されている。
【００３８】
本実施形態においては、本発明にいうところの携帯機器が図１に示すデジタルカメラ１に該当し、本発明にいう部品が、二次電池ＢＴを充電するための燃料電池１０に燃料を供給する燃料タンク１０１に該当する。
【００３９】
なお図３には図１に示すフラッシュ発光窓からフラッシュを発光するフラッシュ部ＦＬも図示されている。
【００４０】
ここで図４を参照して燃料電池１０についてその概要を簡単に説明しておく。
【００４１】
図４に示す燃料電池１０は、燃料タンク１０１内のメタノール水溶液と空気中の酸素との化学反応により起電力を得る直接メタノール型燃料電池と呼ばれるものである。上記燃料タンク１０１は、水素イオン生成用のメタノールを貯留しておく貯留部１０１Ａとそのメタノールから生成された水素イオンと酸素との反応により生成された水を回収するための回収部１０１Ｂとを備えている。この燃料タンク１０１が装填室１００に装填されると、燃料タンク１０１の貯留部１０１Ａから供給口Ｈを通って燃料電池１０の燃料室１０Ａにメタノールが供給される。本実施形態では、このメタノールが燃料室１０Ａに供給されている状態にあるときに、二次電池ＢＴの容量が低下したことをＣＰＵ１０９が検知したときにはコンバータＣＯＮ（図３参照）に指示して二次電池ＢＴと燃料電池１０とを接続することにより燃料電池１０に二次電池ＢＴの充電を開始させている。このときには燃料電池１０が有する電池セル１０Ｃの燃料極側の化学反応により生成された電子が電極（不図示）を経由して二次電池ＢＴに流れ込むことによって充電が行なわれる様になっている。また、このときには燃料電池１０内にもコンバータＣＯＮを介して電子が流れ込むようになるため、燃料電池１０内の燃料極側と空気極側双方ともに活発に化学反応が進み、その電池セル１０Ｃ内の化学反応の進行に応じて生成された水が空気室１０Ｂから排出口Ｄを通って水回収部１０１Ｂに排出される様にもなっている。
【００４２】
ここで図４を参照して燃料電池１０が備える電池セル１０Ｃの構造も簡単に説明しておく。
【００４３】
図４に示す様に、電池セル１０Ｃの両端側にはカーボンペーパ層１１Ｃ，１２Ｃが設けられており、これらのカーボンペーパ層１１Ｃ，１２Ｃは、双方とも空気室１０Ｂと電池セル１０Ｃ、燃料室１０Ａと電池セル１０Ｃとを隔離するための隔壁として作用している。さらにそれらのカーボンペーパ層１１Ｃ，１２Ｃの内側には化学反応の反応速度を速めるための触媒層１１Ｔ，１２Ｔがそれぞれ設けられている。以降の説明においては空気室側の触媒層を空気極触媒層１１Ｔと記載し、燃料室側の触媒層を燃料極触媒層１２Ｔと記載する。
【００４４】
さらに本実施形態の燃料電池には、空気極触媒層１１Ｔと燃料極触媒層１２Ｔとの間にプロトン伝導膜（ＰＲ）が設けられている。メタノール側で生成されたプロトン（ここでは水素イオンＨ＋）は、このプロトン伝導膜ＰＲを透過することができるが、電子（ｅ−）はこのプロトン伝導膜ＰＲを透過することができない。このようにプロトン伝導膜ＰＲを設けておくと、二次電池ＢＴへの充電が行なわれないときには燃料室１０Ａ側で生成された電子が空気室１０Ｂ側に供給されないため、空気室１０Ｂ側の化学反応が進行しなくなって燃料室１０Ａ側のメタノールの消費が抑えられる。もしも上記状態にあるときにコンバータＣＯＮを介して二次電池ＢＴが接続されて充電が開始されたら、電子（ｅ−）がコンバータＣＯＮを通って二次電池ＢＴに供給され充電が行なわれるとともに、燃料電池１０の空気室１０Ｂにも電子が流入して空気極側の化学反応の進行とともに燃料室１０Ａ側の化学反応も進行してプロトン（Ｈ＋）と電子（ｅ−）とが継続的に空気室１０Ｂ側に供給されるようになって充電が行なわれ続けることになる。  
【００４５】
ここで、いままで文章で説明してきた燃料電池１０が備える電池セル１０Ｃ内の化学反応を、化学反応式を用いてわかり易く説明する。
【００４６】
燃料タンク１０１が取出自在に装填室１００に装填されてメタノールが燃料室１０Ａ内に供給されている状態にあるときには燃料室１０Ａ側のメタノールと燃料触媒層１２Ｔとの間で次のような化学反応が始まる。
【００４７】
ＣＨ３ＯＨ+Ｈ２Ｏ  →  ＣＯ２+６Ｈ+＋ｅ−    化式１
そうすると上記化式１中のプロトン（Ｈ+）がプロトン伝導膜ＰＲを透過して空気室１１Ａ側に流入する様になる。この様になっているときにＣＰＵ１０９がコンバータＣＯＮを作動させ燃料電池１０と二次電池ＢＴを接続すると燃料電池の燃料室側からコンバータＣＯＮを通って電子（ｅ−）が空気極側（＋極）に流入するようになって空気室１０Ｂ側で次のような反応が起こり始める。
【００４８】
２Ｈ＋  ＋１／２Ｏ２  ＋  ２ｅ−→Ｈ２Ｏ  化式２  
上記化式２の化学反応が起こり始めると、発電作用により両電極間に１．１８５Ｖ程度の電位差が生じることになる。さらに化式２の反応が進むとその反応により水が生成され生成された水が次々と排出口から排出されて燃料タンクの水回収部１０１Ｂに水が回収されることになる。
【００４９】
このように二次電池ＢＴの容量が低下する度に燃料電池により充電が行なわれるとなると、充電回数が増えていくにつれて燃料電池内のメタノールがどんどんと消費されてしまう。もしも充電回数が相当数になってしまって燃料電池の電力が消費され続けると燃料タンク内のメタノールが最終的には無くなってしまう。そこで本実施形態ではメタノールを収容した燃料タンク１０１を取出自在に装填することができるようにしている。
【００５０】
しかし、メタノールが供給されている最中に燃料タンク１０１が引き抜かれてしまうと有毒なメタノールが人の肌にかかってしまう恐れがあるので、特許文献１の明細書中にも記載があるようにメタノールを供給する供給口１Ａ付近にメタノールが流れているかどうかを検出する燃料供給検出センサＳＮ（図３参照）を設けてメタノールが燃料タンク１０１内に未だあるうちは、ＣＰＵ１０９がその流れの検出を受けてフラッパソレノイドＦＳ（図３参照）を励磁することによりそのソレノイドの可動接点ＡＭを下降させその可動接点ＡＭの一端側に設けた引っ掛け部をスライド式の蓋１０２側のフックＨＫに引っ掛けて蓋１０２を開けることができないようにしている。
【００５１】
この様にしておくと、誤ってメタノールがあるうちに蓋１０２が開けられ燃料タンク１０１が取り外されることにより燃料タンク１０１内のメタノールが漏れたり飛散したりすることが防止される。
【００５２】
さらに、この例では、上記燃料供給検出センサＳＮによりメタノールが燃料タンク１０１内に在るかどうかを検出して燃料タンク１０１内にメタノールがもうないということがＣＰＵ１０９によって検知されたら表示画面ＬＣＤ上に警告を発するとともにその警告に応じて燃料タンク１０１の交換がユーザの手によって行なわれようとして蓋１０２が開放されたときにモータ１０Ｍを回転させることによりその燃料タンクを自動的に外部へと送り出す様にしている。この様にしておくと燃料タンク１０１が取り出し易くなり燃料タンクの交換が行ない易くなる。
【００５３】
ただし、燃料供給検出センサＳＮにより燃料タンク１０１内に燃料がもうないと判定されたとしても、燃料タンク１０１内の端にメタノールが僅かでも残っているケースが在り得る。もしもこのようなケースに蓋１０２を下に向けたまま燃料タンク１０１が送り出されてくると、燃料タンク１０１を取り出そうとしたときに燃料タンク１０１が落下してしまって残っていたメタノールが漏洩さらには空中に飛散してしまう恐れがある。
【００５４】
そこで本実施形態では、図１に示すデジタルカメラ１が加速度センサ１０００を備えていることを活用して、ＣＰＵ１０９がその加速度センサ１０００による姿勢検出を受けて装填室１００内の燃料タンク１０１が下向きに送り出される姿勢であると判定した場合は、モータ１０Ｍに指示を出さずにその燃料タンクの送出動作を禁止して燃料タンク１０１の送出をモータ１０Ｍに行なわせないようにしている。本実施形態においては、上記加速度センサ１０００が本発明にいう姿勢検出センサにあたる。
【００５５】
このモータ１０Ｍを含む送出機構については特許文献１の明細書中に記載があるが、本明細書でも簡単に説明しておく。
【００５６】
図５は、送出機構の構成を説明する図である。
【００５７】
特許文献１の明細書中の記載にあるように、燃料タンク１０１の水回収部１０１Ｂ側の外壁にラックＧＲを取り付けて燃料タンク１０１を装填室１００に装填するときにそのラックＧＲを燃料室１００内に設けたモータ１０ＭのギアヘッドＧＨに噛合させることにより自動的に燃料タンク１０１を装填することができるようにしている。
【００５８】
また、燃料タンク１０１内にメタノールがもうないとＣＰＵ１０９が判定して蓋１０２のロックを解除した後、蓋１０２が開けられときに開閉検出スイッチＤＥＴ（図３参照）がＯＮしたら、ＣＰＵ１０９はモータ１０Ｍを装填時とは逆の方向に回転させることにより燃料タンク１０１を少しだけ外部に送り出すように頭だしを行なう様にしている。
【００５９】
本実施形態では、この蓋１０２が開けられて検出スイッチＤＥＴ（図３参照）がＯＮしたことを受けてＣＰＵ１０９がモータ１０Ｍに指示を出すときに、加速度センサ１０００（図１、図３参照）の姿勢検出結果を参照して、モータ１０Ｍを作動させると燃料タンク１０１が落下する危険性があると判定した場合には、モータ１０Ｍに指示を行なわずに燃料タンク１０１の送出動作を禁止するようにしている。
【００６０】
このようにしておくと、燃料タンク１０１を交換しようとしているときのデジタルカメラ１の姿勢が、上記装填室１００内の部品が横向きあるいは上向きに送り出されるような姿勢（図５（ｂ）に示す点線の矢印方向）であったときには、ＣＰＵ１０９により送出動作が禁止されることなく燃料タンク１０１の送出がそのまま行なわれて燃料タンク１０１の取り出しが簡単に行なわれるようになる。
【００６１】
また、燃料タンク１０１が下向きに送り出される姿勢であったときには、ＣＰＵ１０９により送出動作が禁止されこれから起こるであろう落下という事態が未然に防止されるようになる。本実施形態においては本発明にいう禁止制御部がＣＰＵにあたる。
【００６２】
以上、説明したように、部品の交換を行なおうとしているときの部品の落下を未然に防止することができる携帯機器、この例ではデジタルカメラが実現する。
【００６３】
また、図１、図２、図３に示す例では、取出自在に装填室に装填される燃料タンク１０１を例に上げて説明したが、通常の電池やメモリカードが装填室に取出自在に装填されるようなものもある。このような場合には、燃料タンクの様に危険性はなく、電池やメモリカードの破損のみを考えればよいので、次図に示す構造でも十分に事足りる。
【００６４】
図６、図７は、筐体側の姿勢に応じてスライド蓋を開けることができないようにする構造を説明する図である。
【００６５】
図６（ａ）、図６（ｂ）に示すように、スライド蓋２に係合孔２１を設けてその孔２１に係合する係合ピン３１を筐体３側に設けるという簡単な構造で、筐体３の姿勢に応じてスライド蓋２を開けることができない様にしている。
【００６６】
図７（ａ）に示す様にスライド蓋２を閉めた状態にして筐体３を下向きにすると、係合ピンが係合孔に落下して係合するのでスライド蓋２を開けようとしても開けることができない。これに対し、図７（ｂ）に示す様にスライド蓋２を閉めた状態にして筐体３を上向きにすると、係合ピン３１が係合孔２１から筐体３側に落下して係合が解かれるのでスライド蓋２をあけることができるようになる。
【００６７】
このような簡単な構造でも通常の電池やメモリカードなどのように危険性のない部品であれば部品が落下するということが起こらない様にすることができる。
【００６８】
以上説明したように、部品であるメモリカードや普通の電池の交換を行なおうとしているときメモリカードや電池の落下を未然に防止することができる携帯機器が実現する。
【００６９】
最後に第二実施形態を説明する。
【００７０】
図８は、本発明にいう携帯機器がカメラ付き携帯電話機４であって、本発明にいう部品が、燃料電池に燃料を供給する燃料タンク４０１であった場合の例を示す図である。
【００７１】
図８には、燃料タンク４０１が装填される装填室４００が示されている。図８には図１の構成とほぼ同等であることが分かるように燃料電池４０が収容されている場所と装填室５００との位置関係も示されている。
【００７２】
このようなカメラ付き携帯電話機４にも、図１，図２に示すデジタルカメラ１と同様の構成が適用される。
【図面の簡単な説明】
【００７３】
【図１】本発明の一実施形態であるデジタルカメラを正面斜め前方から見た斜視図である。
【図２】本発明の一実施形態であるデジタルカメラを背面斜め後方から見た斜視図である。
【図３】図１に示すデジタルカメラの内部の回路構成を示す図である。
【図４】燃料電池１０およびその燃料電池１０に燃料を供給するために装填された燃料タンク１０１周辺の構造を説明する図である。
【図５】送出機構の構成を説明する図である。
【図６】筐体側の姿勢に応じてスライド蓋を開けることができないようにする構造を説明する図である。
【図７】図６に示す構造のうちの主要な部分を拡大して示した図である。
【図８】第二実施形態を説明する図である。
【符号の説明】
【００７４】
１  デジタルカメラ
１０  燃料電池
１０Ａ    燃料室
１０Ｂ    空気室
１０Ｃ    電池セル
１０Ｍ    モータ
ＧＨ    ギアヘッド
ＧＲ    ラック
Ｈ    供給口
Ｄ    排出口
１０１    燃料タンク
１０１Ａ    貯留部
１０１Ｂ    水回収部
１０２    スライド蓋
１１    レンズ鏡胴
１１０    撮影レンズ
１２    シャッタボタン
１３    電源スイッチ
１０００    加速度センサ（姿勢検出センサ）
【図１】
2007124221.tif 000003
【図２】
2007124221.tif 000004
【図３】
2007124221.tif 000005
【図４】
2007124221.tif 000006
【図５】
2007124221.tif 000007
【図６】
2007124221.tif 000008
【図７】
2007124221.tif 000009
【図８】
2007124221.tif 000010